(57)【要約】【課題】  簡易な構造で所期位置にセクタを確実に停止させることができるシャッタ装置を提供する。【解決手段】  シャッタ開口４を有する基板３と、カム溝１２，２２、３２を備えると共にこの基板に揺動自在に配置され、シャッタ開口４を開閉する複数のセクタ１０、２０，３０と、前記カム溝に係合して各セクタを揺動する作動部材５とを含み、シャッタ開口の全閉時に、セクタが前記シャッタ開口４を全閉する領域において作動部材５の揺動を抑えるように負荷を付与する制動部材４０を備えたシャッタ装置１である。本シャッタ装置１によると、作動部材５が前記セクタ１０、２０、３０を移動してシャッタ開口４を閉じて全閉状態とするときに、作動部材５の移動に負荷を与える制動部材４０を備えているので各セクタが所期位置からずれない。【選択図】    図１
2005134574.tif 000002
【特許請求の範囲】
【請求項１】
シャッタ開口を有する基板と、
カム溝を備えると共に前記基板に揺動自在に配置され、前記シャッタ開口を開閉する複数のセクタと、
前記カム溝に係合して前記セクタを揺動する作動部材とを含み、
前記シャッタ開口の全閉時に、前記セクタが前記シャッタ開口を全閉する領域において前記作動部材の揺動を抑えるように負荷を付与する制動部材を備えたシャッタ装置。
【請求項２】
前記制動部材は、前記シャッタ開口の全閉時に前記セクタが前記シャッタ開口を全閉する領域において前記作動部材に押圧されて移動する請求項１に記載のシャッタ装置。
【請求項３】
前記制動部材は、前記基板に前記セクタと同軸に回動自在に配置され、前記作動部材に係合する制動用カム溝を備えた板状部材を含み、前記作動部材に押圧されて回動したときに前記シャッタ開口を塞がない形状である請求項２に記載のシャッタ装置。
【請求項４】
前記制動部材は、前記セクタを揺動して前記シャッタ開口を全開、全閉、および小絞りの状態とする請求項１乃至３のいずれかに記載のシャッタ装置。
【請求項５】
前記制動用カム溝は、前記作動部材の回動方向と、該作動部材が該制動用カム溝へ当接する接線方向とで作る角度が大きくなるように形成して、前記作動部材の揺動負荷を増大する請求項３又は４に記載のシャッタ装置。
【請求項６】
シャッタ開口を有する基板と、
カム溝を備えると共に前記基板に揺動自在に配置され、前記シャッタ開口を開閉する複数のセクタと、
前記カム溝に係合して前記セクタを揺動する作動部材とを含み、
前記基板に設けた固定軸回りに回動自在に配置され、前記作動部材が制動用カム溝に係合し、前記作動部材が前記セクタをして前記シャッタ開口を全閉状態となすときに、前記作動部材の移動方向と該作動部材が当接する前記制動用カム溝の接線方向とで作る角度が大きくなるように形成した前記制動部材を備えるシャッタ装置。
【請求項７】
シャッタ開口を有する基板と、カム溝を備えると共に前記基板に揺動自在に配置され、前記シャッタ開口を開閉する複数のセクタと、
前記カム溝に係合して前記セクタを揺動する作動部材とを含み、
前記シャッタ開口の全閉時に前記セクタが前記シャッタ開口を全閉する領域において、前記作動部材の揺動を抑えるように負荷を付与するように、所定のセクタのカム溝が形成されているシャッタ装置。
【請求項８】
前記カム溝はＶ字形状を含み、前記作動部材が前記Ｖ字形状の谷部に至ったときに、前記セクタが前記シャッタ開口を全閉状態とする請求項７に記載のシャッタ装置。
【請求項９】
シャッタ開口を有する基板と、
カム溝を備えると共に前記基板に揺動自在に配置され、前記シャッタ開口を開閉する複数のセクタと、
前記カム溝に係合して前記セクタを揺動する作動部材とを含み、
前記カム溝がＶ字形状を含んでおり、前記作動部材が前記セクタをして前記シャッタ開口を全閉状態となすときに、前記作動部材が前記Ｖ字形状の谷部に至ったときに前記セクタが前記シャッタ開口を全閉状態とするシャッタ装置。
【請求項１０】
前記作動部材は、前記セクタを揺動して前記シャッタ開口を全開、全閉、および小絞りの状態とする請求項６乃至９のいずれかに記載のシャッタ装置。
【請求項１１】
請求項１乃至１０のいずれかに記載のシャッタ装置を含む光学機器。
【発明の詳細な説明】
【技術分野】
【０００１】
本発明は光学機器用のシャッタに関する。より詳細には、デジタルカメラやビデオカメラ等の光学機器に好適に使用できるシャッタ装置に関する。
【背景技術】
【０００２】
カメラのシャッタ装置に関しては、例えば特許文献１に記載がある。この特許文献１は、上絞り羽根及び下絞り羽根という２枚のセクタをステップモータで開閉駆動する技術について開示している。図１２は、特許文献１で示される従来におけるシャッタ装置でのセクタ動作例について示した図である。第１のセクタ１０１は固定軸１０２について回動自在であり、第２のセクタ１０７は固定軸１０８について回動自在である。これらのセクタ１０１、１０７は、シャッタ基板に形成したシャッタ開口１００を開及び閉とする位置に移動可能に配置されている。
【０００３】
具体的には、第１のセクタ１０１には開口１０３が設けられ、同様に第２のセクタ１０７には開口１０９が設けられている。これらの開口１０３、１０９には図示しないステップモータによって揺動される作動ピン１０５が貫通し、係合している。よって、図１２で示すように、作動ピン１０５を所定方向に移動させることで、２枚のセクタ１０１、１０７の位置を制御して小絞り、全閉、全開の各状態を形成できる。
【０００４】
【特許文献１】特開平２０００−３９６４６号  公報
【発明の開示】
【発明が解決しようとする課題】
【０００５】
上記特許文献１で開示するシャッタ装置では、第１のセクタ１０１及び第２のセクタ１０７の開口１０３、１０９は共に単純な形状であり、作動ピン１０５の位置が上方へ移動するのに伴って、上記第１のセクタ１０１及び第２のセクタ１０７によって小絞り、全閉、全開の状態が形成される。また、全開の状態から作動ピン１０５を下方に移動するとこれとは逆の状態が形成される。ここで、全閉の状態は、小絞り状態と全閉状態との間で存在している。
【０００６】
よって、ステップモータを駆動して全開位置から全閉位置、或いは小絞り位置から全閉位置にセクタ１０１、１０７を移動させるときは、セクタ停止の直前に電気的なブレーキパルスを送ってステップモータの駆動を逆向きに制御するという手法が一般に採用される。しかしながら、最近のシャッタスピードは高速であり、ブレーキタイミングの幅が極めて狭くなっている。そのため、ステップモータを電気的に制御して、ロータを所定位置で停止させることが極めて困難となっている。その結果、ロータにより駆動される作動ピン１０５が所期位置（セクタを全閉とする位置）を過ぎてオーバーランする場合がある。
【０００７】
このように作動ピン１０５がオーバーランすると、セクタ１０１、１０７が予定された全閉用の位置からずれて開口１００に光が入る状態（以下、再露光の状態という）となる。このように、本来の全閉位置で光を確実に遮蔽できないシャッタを採用するカメラ等の光学機器では適正な撮影を行なうことができない。
【０００８】
なお、上記特許文献１では２個のセクタにより小絞り、全閉、全開の状態を形成している。しかし、小絞り用として３個目のセクタを使用し、３枚構成で同様に小絞り、全閉、全開の状態を形成するシャッタの試みもある。このようにセクタ３枚を用いるシャッタに関しても、セクタ停止時には前述した作動ピン１０５のオーバーランにより所定位置に停止させることができないという問題がある。また、一般のシャッタではセクタが所定範囲を越えて移動しないように所定位置に移動規制部材が配置されている。例えばシャッタ開口を閉じたセクタがそれ以上移動しないように当接部材が配置されている。上記のように作動ピン１０５がオーバーランすると、これに伴ってセクタが当接部材に強く衝突することになる。この衝突によりセクタが跳ね返され（バウンドと称される）、前記したと同様の再露光状態や強い衝突によるセクタの破損等の問題を発生させる場合がある。
【０００９】
そこで、本発明の目的は、上記した従来の課題を解決し、簡易な構造で所期の位置にセクタを確実に停止させることできるシャッタ装置を提供することである。
【課題を解決するための手段】
【００１０】
上記目的は、シャッタ開口を有する基板と、カム溝を備えると共に前記基板に揺動自在に配置され、前記シャッタ開口を開閉する複数のセクタと、前記カム溝に係合して前記セクタを揺動する作動部材とを含み、前記シャッタ開口の全閉時に、前記セクタが前記シャッタ開口を全閉する領域において前記作動部材の揺動を抑えるように負荷を付与する制動部材を備えたシャッタ装置により達成できる。
【００１１】
本発明によると、作動部材が前記セクタを移動して前記シャッタ開口を閉じて全閉状態とするとき、この付近に移動してくる作動部材の移動が制限される。すなわち、制動部材は、前記セクタが前記シャッタ開口を全閉する領域において前記作動部材の揺動を抑えるように負荷を付与する。よって、作動部材が更に移動しようとしてもこれが規制されるので、シャッタ開口を塞いだセクタが所定位置からずれるということがない。従って、再露光やバウンドの問題を生じないシャッタ装置を提供できる。前記制動部材は、前記シャッタ開口の全閉時に前記セクタが前記シャッタ開口を全閉する領域において前記作動部材に押圧されて移動するように構成することができる。
【００１２】
前記制動部材は、前記基板に前記セクタと同軸に回動自在に配置され、前記作動部材に係合する制動用カム溝を備えた板状部材を含み、前記作動部材に押圧されて回動したときに前記シャッタ開口を塞がない形状であることが好ましい。このように制動部材を形成すれば、他のセクタと同様にシャッタに組み込んで使用することができる。また、前記制動部材は、前記セクタを揺動して前記シャッタ開口を全開、全閉、および小絞りの状態を形成するように駆動することができる。また、前記制動用カム溝は、前記作動部材の回動方向と、該作動部材が該制動用カム溝へ当接する接線方向とで作る角度が大きくなるように形成して、前記作動部材の揺動負荷を増大することができる。
【００１３】
また、シャッタ開口を有する基板と、カム溝を備えると共に前記基板に揺動自在に配置され、前記シャッタ開口を開閉する複数のセクタと、前記カム溝に係合して前記セクタを揺動する作動部材とを含み、前記基板に設けた固定軸回りに回動自在に配置され、前記作動部材が制動用カム溝に係合し、前記作動部材が前記セクタをして前記シャッタ開口を全閉状態となすときに、前記作動部材の移動方向と該作動部材が当接する前記制動用カム溝の接線方向とで作る角度が大きくなるように形成した前記制動部材を備えるシャッタ装置によっても同様に上記目的を達成できる。
【００１４】
また、上記目的は、シャッタ開口を有する基板と、カム溝を備えると共に前記基板に揺動自在に配置され、前記シャッタ開口を開閉する複数のセクタと、前記カム溝に係合して前記セクタを揺動する作動部材とを含み、前記シャッタ開口の全閉時に前記セクタが前記シャッタ開口を全閉する領域において、前記作動部材の揺動を抑えるように負荷を付与するように、所定のセクタのカム溝が形成されているシャッタ装置によっても達成できる。
【００１５】
本発明によると、シャッタ開口を開閉する所定のセクタのカム溝が、全閉位置に近づいてくる前記作動部材の移動を制限する。すなわち、カム溝は、シャッタ開口の全閉時に前記セクタが前記シャッタ開口を全閉する領域において、前記作動部材の揺動を抑えるように負荷を付与する。よって、新たな部材を追加することなく再露光の発生等を防止できるシャッタ装置を提供できる。なお、前記カム溝はＶ字形状を含み、前記作動部材が前記Ｖ字形状の谷部に至ったときに、前記セクタが前記シャッタ開口を全閉状態とするように形成することができる。
【００１６】
また、シャッタ開口を有する基板と、カム溝を備えると共に前記基板に揺動自在に配置され、前記シャッタ開口を開閉する複数のセクタと、前記カム溝に係合して前記セクタを揺動する作動部材とを含み、前記カム溝がＶ字形状を含んでおり、前記作動部材が前記セクタをして前記シャッタ開口を全閉状態となすときに、前記作動部材が前記Ｖ字形状の谷部に至ったときに前記セクタが前記シャッタ開口を全閉状態とするシャッタ装置によっても同様に上記目的を達成できる。
【００１７】
そして、前記作動部材は、前記セクタを揺動して前記シャッタ開口を全開、全閉、および小絞りの状態が形成されるように駆動することができる。上述した構成のシャッタ装置であれば再露光やバウンド状態が生じることがないので、このシャッタ装置を含むデジタルカメラ等の光学機器であれば、鮮明な撮影画像を得ることができる。
【発明の効果】
【００１８】
以上説明したように、本発明によれば、セクタを全閉位置等の所期位置に確実に停止させることができる光学機器用のシャッタ装置を提供できる。
【発明を実施するための最良の形態】
【００１９】
以下図面を参照して本発明の最良の形態について説明する。ここでは２つの実施例を示す。
【実施例１】
【００２０】
図面に基づいて実施例１のシャッタ装置について説明する。図１から図６は、実施例１のシャッタ装置について示している。図１は実施例１に係るシャッタ装置１が全開状態にあるときの様子を示した図である。図２は、図１のシャッタ装置１に含まれる３枚のセクタを取り出して示した図である。図３は、図１のシャッタ装置１に含まれる制動部材としての規制板４０を取り出して示した図である。図４はシャッタ装置１が全閉状態にあるときの様子を示した図である。図５はシャッタ装置１が小絞り状態にあるときの様子を示した図である。また、図６はセクタを駆動する作動部材としての作動ピンを駆動するステップモータを含めてシャッタ装置１の構成を示した図である。
【００２１】
図１に示すように、本シャッタ装置１はセクタ３枚構成である。本シャッタ装置１は、シャッタ基板３と、３枚のセクタ１０、２０、３０を備えている。第１セクタ１０は第１シャッタ羽根であり、第２セクタ２０は第２シャッタ羽根である。第３セクタ３０は小絞り穴を備えた絞り羽根である。ここでは、各セクタを確認し易いように、第１セクタ１０に関する部分を実線、第２セクタ２０に関する部分を長い破線、第３セクタに関する部分を点線で示している。なお、シャッタ基板３の中央には、シャッタ開口４が形成されている。
【００２２】
第１セクタ１０は、固定軸１１回りに回動自在に構成され、カム溝１２を備えている。第２セクタ２０は、固定軸２１回りに回動自在に構成され、カム溝２２を備えている。第３セクタ３０は、固定軸３１回りに回動自在に構成され、カム溝３２を備えると共に小絞り穴３３を有している。上記３個のカム溝１２、２２、３２には、ここでは図示しないステップモータ（後述の図６参照）によって、所定範囲で駆動される作動ピン（作動部材）５が係合している。すなわち、１つの作動ピン５が３個のカム溝１２、２２、３２を貫通し、この作動ピン５の移動により全てのセクタ１０、２０、３０が所定の揺動動作を行うように構成されている。
【００２３】
図２は、図１に示した各部構成が確認し易いように取り出して示した図である。（Ａ）は第１セクタ１０、（Ｂ）は第２セクタ２０、（Ｃ）は第３セクタ３０を示している。また、図３は本シャッタ装置１に含む規制板４０を取り出して示した図である。この図３では、上から全開状態、全閉状態、小絞り状態にあるときの作動ピン５と規制板４０との関係を示している。本規制板４０は、図１に示すように、第２セクタ２０の固定軸２１を兼用して所定範囲を回動可能に設定されている。規制板４０は他の３枚のセクタと同様に板状部材にカム溝を備えた構造である。後述するように、このカム溝は作動ピン５の移動を制限するように所定位置で負荷を増大させる制動用カム溝４２として形成されている。
【００２４】
上記規制板４０は、図３の中段で示す全閉状態となったとき、すなわちシャッタ開口４がセクタにより閉じられたときに、当該位置にある作動ピン５の移動を制限するために付加されている部材である。この点ついてより詳細に説明すると、前記作動ピン５が前記セクタ１０、２０、３０を移動して前記シャッタ開口４を閉じたときに、規制板４０の制動用カム溝４２によりその位置にある前記作動ピン５の動きを制限するように負荷を増大させて制動をかける。図３で図示するように、制動用カム溝４２は長穴が蛇行したようなカム曲線で形成されている。作動ピン５が全開に対応する位置（５−１）から全閉の位置（５−２）に来たときに、作動ピン５は凸部の側面に当接し、つまり作動ピン５の進行方向と当接するカム曲線の接線とがなす角度を大きくすることで作動ピン５の移動に対する負荷を増大して制動をかけている。
【００２５】
すなわち、作動ピン５は上段の全開位置（５−１）から中段の全閉状態に向かう当初は、スムーズに移動可能である。しかし、図３中段で示すように、全閉状態に対応する位置付近に作動ピン５が来ると参照符号ＮＲで示す蛇行部分に至り、また矢印Ｒで示すように規制板４０自身が少し揺動する。このような規制板４０動作と制動用カム溝４２の形状により、作動ピン５に負荷をかけて制動するものである。その結果、本実施例のシャッタ装置１では、作動ピン５の動作に基づいて揺動されるセクタ１０，２０，３０がシャッタ開口４を閉じた全閉位置（５−２）の付近で、オーバーランすることがなくなる。よって、全閉状態でセクタが開き再露光するという状態や、セクタがバウンドするという状態が確実に抑制できる。
【００２６】
そして、図３中段の全閉状態から下段に示す小絞りに移行する場合は、作動ピン５は停止した状態から移動を開始するので、制動用カム溝４２による影響を殆ど受けること無くスムーズに移行する。しかし、その逆に、下段の小絞り位置（５−３）から全閉位置（５−２）に戻るときには、全開から全閉となる場合と同様に制動用カム溝４２によって、作動ピン５が全閉位置（５−２）に来たときにその移動に制動がかかるようになっている。すなわち、制動用カム溝４２の形状は、作動ピン５が他の位置から全閉位置（５−２）に来たときにその移動を制限するようにカム形状が設計され、全閉位置（５−２）から小絞り位置（５−３）或いは全開位置（５−１）に移行するときには作動ピン５の負荷を変動させて自由な移動を許容する形状となっている。
【００２７】
なお、上記規制板４０は作動ピン５が制動用カム溝４２に係合し固定軸２１の回りに回動するので、その位置が変化する。規制板４０がこのように移動したときに、シャッタ開口４を塞ぐことがない形状に形成されている。図３では他の図で図示を省略しているステップモータ７及びそのロータ軸７Ｒ並びにこのロータ軸７Ｒに一端が固定されたアーム部８を図示している。ステップモータ７の周辺部については、次の図６を参照して詳細に説明する。
【００２８】
図６（Ａ）は、セクタ１０、２０、３０並びに規制板４０を駆動する作動ピン５と、この作動ピン５を駆動するステップモータ７の周辺部分を拡大して示した図である。シャッタ基板３の前面側には前記３枚のセクタ１０、２０、３０が基板面に沿うように配置されている。これらのセクタは、シャッタ基板３側から第１シャッタ羽根１０、第２シャッタ羽根２０、絞り羽根３０である。これらセクタの前側には、さらに規制板４０が配設されている。シャッタ基板３の背面側にはステップモータ７が配置されている。
【００２９】
この図６（Ａ）では穴の位置は確認できないが、第１セクタ１０は基板３に設けた固定軸１１に係合する穴、及びロータ軸７Ｒから延びた作動ピン５に係合する前述したカム溝１２を備えている。同様に、第２セクタ２０は基板３に設けた固定軸２１に嵌合する穴、及びロータ軸７Ｒから延びた作動ピン５に係合するカム溝２２を備えている。また、絞り羽根３０は基板３に設けた固定軸３１に係合する穴、及びロータ軸７Ｒから延びた作動ピン５に係合するカム溝３２を備えている。これらセクタ１０、２０、３０は、作動ピン５の回動動作に伴って、それぞれが独自の軌跡を描いて揺動する。そして、規制板４０はセクタ２０の固定軸２１に回動自在に係合している。
【００３０】
基板３の背面側に配置しているステップモータ７のロータ７０１から伸びるロータ軸７Ｒには、半径方向に延出したアーム部８が接続されている。このアーム部８の端部は、前述した作動ピン５が接続されている。作動ピン５はシャッタ基板３側に設けた開口７１０を通り反対側まで延在している。前面側に出たこの作動ピン５に、セクタ１０、２０、３０のそれぞれに設けたカム溝１２、２２、３２及び規制板４０の制動用カム溝４２が係合している。よって、ステップモータ７のロータ軸７Ｒが回動したときには、作動ピン５がこれに連動して回動し、さらにセクタ１０、２０、３０が所定の軌跡で揺動する。また、規制板４０が僅かに揺動して、前述したように全閉位置付近で作動ピン５が移動するのに負荷をかけて制動している。
【００３１】
なお、ステップモータ７はロータ７０１の外周を囲むようにＵ字状のステータ７０４が配置され、このステータの両側にコイル７０２、７０３が巻回されている。図６で示すステータ７０４は両端から見た状態が図示されている。コイル７０２、７０３には制御回路７０５が接続され、ステップモータ７の駆動が制御される。
【００３２】
また、図６（Ｂ）は、上記作動ピン５の移動範囲ＣＲについて示した図である。作動ピン５はロータ軸７Ｒの回転に伴い３６０°の回転が可能であるが、基板３に形成された開口７１０は扇型であり、また、アーム部８の移動を規制する当接部材７０９が配置されている。よって、作動ピン５は所定範囲ＲＥ内を回動する。
【００３３】
さらに、上記図１（全開）、図４（全閉）及び図５（小絞り）を参照して、シャッタ装置１の全体的な動きを説明する。図１の全開では作動ピン５が移動範囲の左端にあり、このときには各セクタ１０、２０、３０はカム溝１２、２２、３２の形状に基づいて、シャッタ開口４を開く位置に移動される。次に、図４で示すように、作動ピン５が全閉に対応する位置に移動すると、各セクタ１０、２０、３０もシャッタ開口４を閉じる位置へ移動する。このとき本シャッタ装置１では、作動ピン５が規制板４０の制動用カム溝４２によりスムーズな移動を制動した状態となる。よって、セクタ１０、２０、３０は図４（全閉）の位置付近で減速するため従来の様にずれを生じることなく安定的に停止する。したがって、再露光やバウンドの問題は生じない。
【００３４】
そして、本シャッタ装置１では、図４の全閉状態位置にある作動ピン５を更に右に移動させるときにはスムーズに移動して図５の小絞り状態となるが、ここから全閉状態に戻るときには作動ピン５は制動用カム溝４２によって全閉位置付近で作動ピン５の負荷が増大して制動がかかり減速する。よって、常にセクタ１０、２０、３０は図４（全閉）の位置では、位置ずれを発生することなく安定的に停止する。したがって、このときの全閉位置でも再露光やバウンドの問題は発生しない。
【００３５】
以上のように実施例１のシャッタ装置１は規制板４０を備えているので、セクタを全閉位置に移動した作動ピンを制動するので減速して停止できる。よって、従来のようにセクタがシャッタ開口４からずれて再露光するという問題は発生しない。したがって、本シャッタを一部として含んだデジタルスチルカメラ等の光学機器によれば鮮明な画像を撮影できる。
【実施例２】
【００３６】
更に、図７から図１１に基づいて、本発明に係る実施例２を説明する。前述した実施例１では３枚のセクタに加えて、作動ピン５の移動を規制する規制板４０を更に配置していた。これに対し、本実施例２は既存セクタのカム溝を利用して、規制板４０と同様の効果を得るような構成を実現する。よって、本実施例２では構成を簡素化できる。
【００３７】
本実施例では、シャッタ装置に組込む複数のセクタの内で、所定のセクタのカム溝が特殊な形状に設計されている。すなわち、シャッタ開口を閉じる全閉状態となるときに、このカム溝が実施例１の規制板４０と同様の機能を果たす。この点を図７を参照して説明する。図７は本シャッタ装置２に含む１枚のセクタ５０（所定のセクタ）を拡大して示した図である。セクタ５０は固定軸５１回りに回動自在であり、カム溝５２を備えている。このカム溝５２に、反時計方向（ＣＣＷ）方向へ回動する作動ピン５が係合している。（Ａ）から（Ｃ）に向かうに従って、作動ピン５がＣＣＷ側へ移動する。
【００３８】
上記（Ａ）の状態から、セクタ５０を揺動するように作動ピン５が回動されたときには、図７の下段に示すようにセクタ５０から作動ピン５に大きな負荷ＲＰ（反力）が発生する。そして、セクタ５０がＣＷ方向へ揺動して、（Ｂ）の状態になると反力ＲＰが小さくなる。さらに、この（Ｂ）の状態から（Ｃ）の状態へ連続して移行しようとすると、セクタはＣＷ方向に回転しているが、作動ピン５はセクタをＣＣＷ方向に移動させようとするために、再び反力ＲＰが大きくなる。ここで、特に着目すべき状態は、（Ｂ）から（Ｃ）へ移行するときである。（Ｂ）の位置に作動ピン５があるときに全閉状態を形成するようにしたので、作動ピン５がさらに移動しようとしてもこれを反力ＲＰによって制動されて減速する。本実施例２は、このような理論に基づき、組込むセクタのカム溝を活用して実施例１の規制板４０と同様の制動効果を得るようにしたものである。
【００３９】
図７に示すようなセクタ５０をシャッタ内に組込んだときには、他のセクタにより、或いはこのセクタ５０も含めた複数のセクタで全閉状態を形成する付近で、（Ｂ）で示す状態となるように作動ピン５とセクタ５０の関係を設定する。このようにすれば、全閉状態となるときにセクタ５０のカム溝５２によって、作動ピン５が減速するのでオーバーランする状態が抑制される。図７に示すようなセクタ（所定のセクタ）は１つのシャッタ装置に複数組込んでもよい。すなわち、全開状態から全閉状態にするときにはセクタＡのカム溝により前述したような制動効果を得るようにし、小絞り状態から全閉状態にするときには他のセクタＢのカム溝により制動効果を得るようにしてもよい。もちろん、１枚のセクタ５０が全閉状態となるときに常に制動効果を発揮するように、カム溝５２の形状を設計してもよい。
【００４０】
図８から図１１を参照して、実施例２のシャッタ装置２について詳細に説明する。図８は実施例２に係るシャッタ装置２が全開状態から全閉状態へ移行するときの様子を示した図である。図９は、図８のシャッタ装置２に含まれる３枚のセクタを取り出して示した図である。図１０はシャッタ装置２が小絞り状態から全閉状態へ移行するときの様子を示した図である。図１１はシャッタ装置２が全閉状態にあるときの様子を示した図である。なお、このシャッタ装置２では、図７に示したセクタ５０を第１セクタとして組込んでいる。また、第２セクタ６０が同様に制動機能を果たすカム溝を備えている。
【００４１】
まず図８を参照して、シャッタ装置２の構成の大略を説明する。本シャッタ装置２もセクタ３枚構成であるが、実施例１のように規制板を含んでいない。すなわちシャッタ装置２は、３枚のセクタ５０、６０、７０を備えている。セクタ５０は第１シャッタ羽根であり、セクタ６０は第２シャッタ羽根である。セクタ７０は小絞り穴７３を備えた絞り羽根である。ここでも各セクタを確認し易いように、第１セクタ５０に関する部分を実線、第２セクタ６０に関する部分を長い破線、第３セクタ７０に関する部分を点線で示している。
【００４２】
第１セクタ５０は固定軸５１回りに回動自在に構成され、第２セクタ６０は固定軸６１回りに回動自在に構成され、第３セクタ７０は固定軸７１回りに回動自在に構成されている。これらのセクタ５０、６０、７０の各々には実施例１の場合と同様にカム溝が形成され、作動ピン５により所定の軌跡を描いて揺動するように構成されている。この点ついては前述した実施例１と同様である。図９は、図８に示した各部構成が確認し易いように取り出して示した図である。（Ａ）は第１セクタ５０、（Ｂ）は第２セクタ６０、（Ｃ）は第３セクタ７０を示している。
【００４３】
後述するように、本実施例のシャッタ装置では、小絞り状態から全閉状態となるときに、セクタ５０のカム溝５２が前述した作動ピン５を制動する機能を発揮するように設計されている。また、全開状態から全閉状態となるときに、セクタ６０のカム溝６２が前述した作動ピン５を制動する機能を発揮するように設計されている。
【００４４】
図８に示すように、全開から全閉に変化するときに第２セクタ６０のカム溝６２が特徴的な機能を果たし、また、図１０に示すように小絞りから全閉に変化するときに第１セクタ５０のカム溝５２が特徴的な機能を果たす点が前記の実施例１とは異なる。各図の状態を順に説明する。但し、図８及び図１０では、本実施例２の特徴が理解し易いように、作動ピン５の移動を制限するカム溝を示して他のカム溝の図示は省略している。これに対して図１１は、シャッタ装置２の全閉状態が示され、この図では全てのセクタのカム溝を確認できるように図示している。
【００４５】
図８は、シャッタ開口４の全開状態から全閉状態へ変化する様子を示している。この図で示す状態では、第２セクタ６０はシャッタ開口４の遮光ではなく、そのカム溝６２で作動ピン５の移動を規制するようにしている。すなわち、図８で示す場合は、第１セクタ５０及び第３セクタ７０によりシャッタ開口４が閉じられ、このときに第２セクタのカム溝６２により作動ピン５がさらに移動するのが制動される。同様に、図１０で示す小絞り状態から全閉状態に移行する場合は、第２セクタ６０及び第３セクタ７０によりシャッタ開口４が閉じられ、このときには第１セクタ５０のカム溝５２により作動ピン５がさらに移動するのを規制する。
【００４６】
すなわち、本実施例２では、第１のセクタ５０及び第２のセクタ６０が２つの機能を果たすように構成されている。具体的には、第１のセクタ５０のカム溝５２は、セクタ５０自身がシャッタ開口４の寄与しないときに、全閉状態で作動ピン５が同一方向へ更に移動することを制動するような形状となっている。同様に、第２のセクタ６０のカム溝６２は、セクタ６０自身がシャッタ開口４の遮光に寄与しないときに、作動ピン５を全閉位置で停止させる形状に形成されている。本実施例によると、他の部材を新たに追加することなく既存のセクタに簡単な変更を加えるだけで、作動ピン５を全閉位置で確実に停止させることができる。本実施例２によっても作動ピン５がオーバーランするような状態を防止できるので、全閉位置でセクタが開き再露光する、或いはバウンドするという問題は発生しない。したがって、本シャッタ装置２を一部として含んだデジタルスチルカメラ等の光学機器でも鮮明な画像を撮影できる。
【００４７】
前述した本実施例では３枚のセクタを含むシャッタ装置を例示したがこれに限定するものではない。セクタ２枚で構成しても前述した実施例に準じた構成のシャッタ装置を作製できる。例えばシャッタ構造ではセクタの傾斜角度を規定するために当接部材が配置される場合がある。セクタがこの部材に強く当接すると強くはね返されたり、破損したりする場合がある。前述した実施例の構成を採用すると所期位置に作動ピンを停止させることができるので、当接部材への当接力を抑制するという効果を得ることもができる。
【００４８】
以上、本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００４９】
【図１】実施例１に係るシャッタ装置が全開状態にあるときの様子を示した図である。
【図２】実施例１のシャッタ装置に含まれる３枚のセクタを取り出して示した図である。
【図３】実施例１のシャッタ装置に含まれる規制板を取り出して示した図である。
【図４】実施例１のシャッタ装置が全閉状態にあるときの様子を示した図である。
【図５】実施例１のシャッタ装置が小絞り状態にあるときの様子を示した図である。
【図６】実施例１のシャッタ装置に関し、（Ａ）は各セクタ並びに規制板を駆動する作動ピンとこれを駆動するステップモータの周辺部分を拡大して示した図であり、（Ｂ）は作動ピンの移動範囲ＣＲについて示した図である。
【図７】実施例２のシャッタ装置に含む所定のセクタを拡大して示した図である。
【図８】実施例２のシャッタ装置が全開から全閉に変化する様子を示した図である。
【図９】実施例２のシャッタ装置に含まれる３枚のセクタを取り出して示した図である。
【図１０】実施例２のシャッタ装置が小絞りから全閉に変化する様子を示した図である。
【図１１】実施例２のシャッタ装置が全閉状態にあるときの様子を示した図である。
【図１２】従来におけるシャッタ装置でのセクタ動作について示した図である。
【符号の説明】
【００５０】
１                シャッタ装置
３                シャッタ基板
４                シャッタ開口
５                作動ピン
７                ステップモータ
１０              第１セクタ
１１              固定軸
１２              カム溝
２０              第２セクタ
２１              固定軸
２２              カム溝
３０              第３セクタ
３１              固定軸
３２              カム溝
４０              規制板
４２              制動用カム溝
【図１】
2005134574.tif 000003
【図２】
2005134574.tif 000004
【図３】
2005134574.tif 000005
【図４】
2005134574.tif 000006
【図５】
2005134574.tif 000007
【図６】
2005134574.tif 000008
【図７】
2005134574.tif 000009
【図８】
2005134574.tif 000010
【図９】
2005134574.tif 000011
【図１０】
2005134574.tif 000012
【図１１】
2005134574.tif 000013
【図１２】
2005134574.tif 000014